(57)【要約】【課題】仕切部の開通作業を行う作業者に仕切部の開通を想起させ、かつ開通作業を簡潔に説明することができる医療用複室容器を提供する。【解決手段】医療用複室容器１は、可撓性シートで形成された容器本体１０が、対向する可撓性シート同士で接合され、その接合が剥離されて開通される仕切部１３と、それによって区画されて薬液３１，３２を封入している薬液室１２，１４と、下端辺部１５に設けられた薬液排出口１６と、上端辺部１１に開けられフック４１で懸け吊る懸吊穴１１ａとを有し、懸け吊られたときに、薬液１２，１４と、混合薬液３０とで液面が変化するものであり、水中に在る又は居る状態を混合薬液３０を介して表わす水中指示絵文字２２と、水上、陸上又は空中に在る又は居る状態を表わす非水中指示絵文字２１との少なくともいずれかが、液面の変化によって液面上と液面下とで逆転する位置で、容器本体１０に付されているものである。【選択図】図１
2015188630.tif 000002
【特許請求の範囲】
【請求項１】
可撓性シートで形成された容器本体が、対向する前記可撓性シート同士で剥離可能に接合され、その接合が剥離されることによって開通される仕切部と、前記仕切部によって区画されて各薬液を夫々封入している複数の薬液室と、前記容器本体の下端辺部に取り付けられた薬液排出口と、前記容器本体の上端辺部に開けられフックで懸け吊る懸吊穴とを、有し、
前記容器本体ごと前記フックで懸け吊られたときに、前記仕切部の開通前の前記各薬液と、前記仕切部の開通によって前記各薬液が混合された混合薬液とで、液面が変化する医療用複室容器であって、
水中に在る又は居る状態を前記混合薬液を介して表わす水中指示絵文字と、水上、陸上又は空中に在る又は居る状態を表わす非水中指示絵文字との少なくともいずれかが、前記液面の変化によって液面上と液面下とで逆転する位置で、前記容器本体の表面に付されていることを特徴とする医療用複室容器。
【請求項２】
前記薬液室が２室であり、
前記下端辺部の側の前記薬液室で前記表面に、前記水中指示絵文字が付され、及び／又は、前記上端辺部の側の前記薬液室で前記表面に、前記非水中指示絵文字が付されていることを特徴とする請求項１に記載の医療用複室容器。
【請求項３】
前記水中指示絵文字が、水生動植物、潜水夫、潜水艦のいずれかであり、前記非水中指示絵文字が、陸生動植物、陸上建造物、航空機、船舶のいずれかであることを特徴とする請求項１又は２に記載の医療用複室容器。
【請求項４】
前記水中指示絵文字と前記非水中絵指示文字とが、物語、駄洒落、しりとり、押韻及び／又は時間経過の前後を表わしていることによって、互いに観念的、韻律的及び／又は経時的なつながりを有していることを特徴とする請求項１から３のいずれかに記載の医療用複室容器。
【請求項５】
前記薬液が、腹膜透析液又は輸液であることを特徴とする請求項１から４のいずれかに記載の医療用複室容器。
【発明の詳細な説明】
【技術分野】
【０００１】
本発明は、仕切部によって開通可能に区画された複数の薬液室を有する医療用複室容器に関するものである。
【０００２】
腹膜透析液や輸液のような薬液においては、長期保存時の安定性の観点から、複数種類の薬液毎に分けられて保存することが行われている。これら薬液は患者へ投与される直前に混合され、得られた混合薬液を患者に投与する。
【０００３】
このような場合に用いられる医療用複室容器が、特許文献１に開示されている。この医療用複室容器は、柔軟なプラスチックフィルムで形成されており、複数の薬液室を開通可能に区画している仕切部を有している。この仕切部は、対向するプラスチックフィルムがそれの一方又は他方の内面側に易剥離性コーティングが塗布された後にヒートシールされることによって形成されている。薬液の投与開始直前に、プラスチックフィルム同士を剥離させ、この仕切部が開通されることによって、薬液同士が容器内で混合される。
【先行技術文献】
【特許文献】
【０００４】
【特許文献１】特開平１１−１６９４３２号公報
【発明の概要】
【発明が解決しようとする課題】
【０００５】
このような医療用複室容器においては、医師、看護師及び薬剤師のような医療従事者が、仕切部を未開通のままで、未混合の薬液を患者に投与してしまうおそれがある。
【０００６】
また、腹膜透析液の注入は在宅で行われるため、医療用複室容器の仕切部は医薬の専門知識を有しない患者やその家族によって開通される。そのため、仕切部の開通方法が医療従事者によって事前に患者等へ説明されるが、患者等がこの説明を十分に理解していなかったり、一旦理解しても後に忘れたりして、仕切部が未開通で未混合の薬液が患者自身に投与されてしまうおそれがある。
【０００７】
医療用複室容器は、医療従事者や患者等の作業者が仕切部の開通を忘れないように、これを喚起でき、かつ簡潔に分かり易く開通作業を説明できるものであることが望まれていた。
【０００８】
本発明は、前記の課題を解決するためになされたもので、仕切部の開通作業を行う作業者に仕切部の開通を想起させ、かつ作業者に開通作業を簡潔に説明することができる医療用複室容器を提供することを目的とする。
【課題を解決するための手段】
【０００９】
前記の目的を達成するためになされた本発明の医療用複室容器は、可撓性シートで形成された容器本体が、対向する前記可撓性シート同士で剥離可能に接合され、その接合が剥離されることによって開通される仕切部と、前記仕切部によって区画されて各薬液を夫々封入している複数の薬液室と、前記容器本体の下端辺部に取り付けられた薬液排出口と、前記容器本体の上端辺部に開けられフックで懸け吊る懸吊穴とを、有し、前記容器本体ごと前記フックで懸け吊られたときに、前記仕切部の開通前の前記各薬液と、前記仕切部の開通によって前記各薬液が混合された混合薬液とで、液面が変化する医療用複室容器であって、水中に在る又は居る状態を前記混合薬液を介して表わす水中指示絵文字と、水上、陸上又は空中に在る又は居る状態を表わす非水中指示絵文字との少なくともいずれかが、前記液面の変化によって液面上と液面下とで逆転する位置で、前記容器本体の表面に付されているものである。
【００１０】
医療用複室容器は、前記薬液室が２室であり、前記下端辺部の側の前記薬液室で前記表面に、前記水中指示絵文字が付され、及び／又は、前記上端辺部の側の前記薬液室で前記表面に、前記非水中指示絵文字が付されていることが好ましい。
【００１１】
医療用複室容器は、前記水中指示絵文字として、水生動植物、潜水夫、潜水艦等が挙げられ、前記非水中指示絵文字として、陸生動植物、陸上建造物、航空機、船舶等が挙げられる。
【００１２】
医療用複室容器は、前記水中指示絵文字と前記非水中絵指示文字とが、物語、駄洒落、しりとり、押韻及び／又は時間経過の前後を表わしていることによって、互いに観念的、韻律的及び／又は経時的なつながりを有していることが好ましい。
【００１３】
医療用複室容器は、前記薬液が、腹膜透析液又は輸液であってもよい。
【発明の効果】
【００１４】
本発明の医療用複室容器は、仕切部の開通前、水上に居るように見える水中指示絵文字及び水中に居るように見える非水中指示絵文字が、仕切部の開通後、夫々水中及び水上に居るように見えることによって、仕切部の開通作業に楽しむ要素を含ませることができるので、医療従事者や患者等の作業者に仕切部の開通忘れを生じさせない。また、医療用複室容器の使用に際し、水中指示絵文字及び非水中指示絵文字を開通作業の説明に織り込むことができるので、簡潔で分かり易く、覚え易く、忘れ難い説明を、作業者にすることができる。そのため、特に在宅で患者等が開通作業を行う腹膜透析液の容器に有効である。
【図面の簡単な説明】
【００１５】
【図１】本発明を適用する医療用複室容器の正面図及びそれの使用途中を示す正面図である。
【図２】本発明を適用する医療用複室容器の仕切部の開通方法を説明する正面図である。
【図３】本発明を適用する別な医療用複室容器の使用途中を示す正面図である。
【図４】本発明を適用する別な医療用複室容器の使用途中を示す一部省略正面図である。
【発明を実施するための形態】
【００１６】
以下、本発明を実施するための形態を詳細に説明するが、本発明の範囲はこれらの形態に限定されるものではない。
【００１７】
本発明を適用する医療用複室容器１の一形態の正面図を図１に示す。同図（ａ）は、仕切部１３が開通される前の医療用複室容器１を示している。医療用複室容器１は、二液が混合されて患者の腹腔内に注入される腹膜透析液を収容するものである。医療用複室容器１は、上端辺部１１、第１薬液室１２、仕切部１３、第２薬液室１４、及び下端辺部１５を有する容器本体１０を備えている。
【００１８】
容器本体１０は、ポリプロピレン製の可撓性シートからなっている。容器本体１０の上端辺部１１及び下端辺部１５で、可撓性シート同士が剥離不能に接合されている。
【００１９】
医療用複室容器１は、第１薬液室１２に収容された第１薬液３１、第２薬液室１４に収容された第２薬液３２、及び容器本体１０から混合薬液３０（図１（ｂ）参照）を排出する薬液排出口１６を備えている。フック４１が懸けられる懸吊穴１１ａが、上端辺部１１を貫通して開いている。医療用複室容器１は、仕切部１３が開通された後、フック４１に懸け吊られて使用される。
【００２０】
容器本体１０の中央部よりも幾らか上端辺部１１寄りを横貫している帯状の仕切部１３が、対向する可撓性シート同士の熱溶着接合によって形成されている。仕切部１３は、剥離可能に弱く熱溶着されているものである。仕切部１３によって容器本体１０が区画され、容器本体１０に第１薬液室１２及び第２薬液室１４が形成されている。
【００２１】
腹膜透析液は、一例として、塩化ナトリウム及び乳酸ナトリウムが主成分である第１薬液３１と、ブドウ糖が主成分である第２薬液３２とからなるものである。この場合、第２薬液３２の量は、第１薬液３１よりも多く、第２薬液室１４の容量は、第１薬液室１２よりも大きい。
【００２２】
空中を飛んでいる鳥を表わしている非水中指示絵文字２１は、仕切部１３が開通されないまま医療用複室容器１がスタンド４０に懸け吊られたとき、第１薬液３１の液面３１ａよりも下に位置するように、第１薬液室１２の表面に付されている。また水中を泳いでいる魚を表わしている水中指示絵文字２２は、第２薬液３２の液面３２ａよりも上に位置するように、第２薬液室１４の表面に付されている。そのため、本来水中に居るべきでない鳥が第１薬液３１を介して水中に居るように見え、水中に居なければならない魚が水面上に居るように見える。
【００２３】
非水中指示絵文字２１及び水中指示絵文字２２は、夫々第１薬液３１及び第２薬液３２との位置関係で、「飛んでいる鳥が水中に居る」及び「泳いでいる魚が水上に居る」という不自然な印象を作業者に与えることができる。それによって作業者は、仕切部１３が未開通であることに気付く。各薬液３１，３２が混合されないまま患者に注入されてしまうことが防止されている。
【００２４】
図１（ｂ）に仕切部１３が開通された後の医療用複室容器１の正面図を示す。仕切部１３が開通されることによって、第１薬液３１と第２薬液３２とは混合され、容器本体１０に腹膜透析液である混合薬液３０が収容されている。
【００２５】
各指示絵文字２１，２２が、各薬液３１，３２と混合薬液３０との液面の上と液面の下とで逆転している。すなわち、混合薬液３０の液面３０ａよりも上に非水中指示絵文字２１が位置し、液面３０ａよりも下に水中指示絵文字２２が位置している。それにより、非水中指示絵文字２１に表された鳥はあたかも水面上の空中を飛んでいるかのように見え、水中指示絵文字２２に表された魚はあたかも水中を泳いでいるかのように見える。医療用複室容器１は、仕切部１３の開通後、非水中指示絵文字２１及び水中指示絵文字２２と混合薬液３０との位置関係について、自然な印象を作業者に与え、違和感を生じさせない。それにより作業者は、医療用複室容器１を一見するだけで、仕切部１３が開通されていることを認識することができる。
【００２６】
この医療用複室容器１は、仕切部１３を開通させる作業と、各指示絵文字２１，２２とを関連付けて説明することができるものである。それによって、作業内容に映像的（ビジュアル的、イメージ的、絵的）な要素を入れることができるとともに、鳥が空を飛んでいる絵や魚が水中を泳いでいる絵になるように変化させるという遊戯的な要素を入れることができる。腹膜透析のように在宅で患者等が仕切部１３の開通作業を行う場合、医師や看護師は、例えば、鳥が空を飛んでいるかや、魚が水の中を泳いでいるかというように、患者等に問いかけつつ、各指示絵文字２１，２２と混合薬液３０とを結び付けて簡潔に説明することができる。
【００２７】
このような映像的かつ遊戯的な要素を含む作業の説明は、単に言葉だけの説明よりも、遥かに理解し易く、覚え易く、忘れ難い。特に、患者等が高齢者や子どもである場合、映像的な要素や遊戯的な要素を説明に入れることは、理解のし易さ、覚え易さ、忘れ難さの観点から重要であり、効果的である。そのため患者等は仕切部１３の開通作業を忘れない。
【００２８】
医療用複室容器１は、次のようにして製造される。まず両端が開口した筒状の可撓性シートからなる容器本体１０の所定位置に、水中指示絵文字２１及び非水中指示絵文字２２を、商品名、製造者名、用量、使用期限、保存方法、留意事項、ロット番号、バーコード等の情報（不図示）とともに、印刷して付す。容器本体１０に高圧蒸気滅菌処理を施す。容器本体１０の所定の位置で、可撓性シート同士を弱く熱溶着することにより、剥離によって開通可能な仕切部１３を形成する。可撓性シートの上端辺同士の一部を残した薬液注入口（不図示）を設けつつ、一定の幅で強く熱溶着して、剥離不能な帯状の上端辺部１１を形成する。それにより、仕切部１３と上端辺部１１とに挟まれた第１薬液室１２が形成される。次に、対向している可撓性シートの下端辺でそれら同士の間に、薬液排出口１６及び開口している薬液注入部１７を挟みつつ、上記と同様にして下端辺部１５を形成する。それにより、仕切部１３と下端辺部１５とに挟まれた第２薬液室１４が形成される。
【００２９】
薬液注入口に薬液供給ノズル（不図示）を挿し込んで、第１薬液室１２に第１薬液３１を注入する。薬液注入口を熱溶着することによって閉じて、第１薬液室１２に第１薬液３１を液密に収容する。薬液注入部１７の開口に、薬液供給ノズルを挿し込み、第２薬液３２を第２薬液室に注入する。薬液注入部１７の開口に、注射針で穿刺可能なゴム栓を嵌めて、第２薬液３２を液密に収容する。さらに高圧蒸気滅菌処理を施した後、医療用複室容器１を外袋に入れる。それにより、医療用複室容器１が完成する。医療用複室容器１は、梱包箱に収容されて医薬卸売業者や医療機関、患者宅等に搬送される。
【００３０】
水中指示絵文字２１及び非水中指示絵文字２２は、ラベルのように粘着剤によって容器本体１０に貼付されるものであってもよい。
【００３１】
図２を参照しながら、医療用複室容器１の使用方法を説明する。作業者は、腹膜透析液である混合薬液３０を腹腔内に注入する直前に、医療用複室容器１の第２薬液室１４側を手５０で強くつかみ第２薬液３２（図１（ａ）参照）を第１薬液室１２側へ押し出すように圧力をかけて押し潰す。
【００３２】
作業者が第２薬液室１４側を押し潰すことによって、仕切部１３の可撓性シートが剥離する。それにより仕切部１３が開通する。第１薬液室１２と第２薬液室１４とが連通し、第１薬液３１と第２薬液３２とが混合されて混合薬液３０になる。懸吊穴１１ａにフック４１を懸け（図１（ｂ）参照）、医療用複室容器１をスタンド４０に懸け吊る。このとき、非水中指示絵文字２１が混合薬液３０の液面上に位置していること、及び水中指示絵文字２２が混合薬液３０の液面下に位置していることを目視して、仕切部１３が確かに開通されていることを確認する。薬液排出口１６につながっているチューブの先端に接続されたコネクタ（不図示）と、腹腔内に繋がっているカテーテルの先端に接続されたコネクタ（不図示）とを接続して腹膜透析液である混合薬液３０を腹腔内に注入する。
【００３３】
非水中指示絵文字２１及び水中指示絵文字２２は、夫々図３（ａ）に示す駅伝の走者及び潜水夫のような人を表しているものであってもよく、同図（ｂ）に示す航空機及び潜水艦のような乗り物を表わしているものであってもよい。非水中指示絵文字２１は、これらの他、例えばトンボやヒマワリのような陸生動植物、高層ビルのような建造物であってもよい。また水中指示絵文字２２は、例えばタガメやマツモのような水生動植物であってもよい。
【００３４】
これらの非水中指示絵文字２１及び水中指示絵文字２２は、腹膜透析液のような医薬品の形態の相違、組成の相違、用量の多少、濃度の濃淡、薬効の強弱、及び／又は付属部品の有無に応じて、種類を暗示するように予め定められているものであってもよい。それによれば、医療用複室容器１を取り扱う医療従事者や患者等は、非水中指示絵文字２１及び水中指示絵文字２２の違いから、大まかに内容物の種類を把握することができる。
【００３５】
図４に医療用複室容器１の別な形態の一部正面図を示す。同図（ａ）の医療用複室容器１は、陸に居る浦島太郎を表わしている非水中指示絵文字２１と、水中を泳いでいるウミガメを表わしている水中指示絵文字２２とが付されているものである。それによって非水中指示絵文字２１と水中指示絵文字２２とは、作業者がおとぎ話の浦島太郎を連想できるように、物語による観念的なつながりを有している。
【００３６】
図４（ｂ）の医療用複室容器１は、空に揚がっている凧を表わしている非水中指示絵文字２１と、蛸を表わしている水中指示絵文字２２とが付されているものである。同音異義語である凧と蛸という駄洒落によって、非水中指示絵文字２１と水中指示絵文字２２とは韻律的なつながりを有している。
【００３７】
図４（ｃ）の医療用複室容器１は、サイを表わしている非水中指示絵文字２１と、イルカを表わしている水中指示絵文字２２とが付されているものである。サイの語尾の一音とイルカの頭字の一音とが合致していることによって、非水中指示絵文字２１と水中指示絵文字２２とは、しりとり遊びができる韻律的なつながりを有している。
【００３８】
図４（ｄ）の医療用複室容器１は、大根（radish）を表わしている非水中指示絵文字２１と、魚（fish）を表わしている水中指示絵文字２２とが付されているものである。radishとfishという英語で表記した場合の押韻によって非水中指示絵文字２１と水中指示絵文字２２とは韻律的なつながりを有している。
【００３９】
図４（ｅ）の医療用複室容器１は、葉の上に居るカエルを表わしている非水中指示絵文字２１と、オタマジャクシを表わしている水中指示絵文字２２とが付されているものである。非水中指示絵文字２１と水中指示絵文字２２とは、オタマジャクシが成長してカエルに変態するという時間経過の前後を表わしていることによって、経時的なつながりを有している。
【００４０】
このように、非水中指示絵文字２１と水中指示絵文字２２とが、物語、駄洒落、しりとり、押韻、及び／又は時間経過の前後のような観念的、韻律的及び／又は経時的なつながりを生ずるように組み合わされていると、作業者は、映像的要素に観念的要素、韻律的要素、及び／又は時間的要素を加えて覚えることができる。図４に示した医療用複室容器１は、これら複数の要素が組み合わされているので、作業者に仕切部１３の開通作業を一層強く印象付けることができる。さらに非水中指示絵文字２１及び水中指示絵文字２２が、物語、駄洒落、しりとり等の遊戯的要素を有しているので、作業者は、仕切部１３の開通作業内容を、楽しみながら習得することができる。それにより、作業者は、開通作業の記憶を長期にわたって保持できるので、仕切部１３の開通を忘れない。また医療従事者は、患者等を楽しませつつ仕切部１３の開通作業を説明することができるので、非常に分かり易く、患者等に強い印象を与えることができる説明を、簡便にかつ簡潔にすることができる。
【００４１】
容器本体１０の材料は、耐熱性、ガス・菌バリア性、生体への安全性等の観点から選択される。例えばポリプロピレンの他、ポリエチレン、環状ポリオレフィンのようなポリオレフィン；ポリエチレンテレフタレートのようなポリエステル；アラミド、ナイロンのようなポリアミド；ポリスチレンが用いられる。
【００４２】
容器本体１０の滅菌方法として、オートクレーブ滅菌処理による高圧蒸気の他、エチレンオキサイドガス滅菌処理、過酸化水素ガス滅菌処理、又は電子線滅菌処理を挙げることができる。
【００４３】
上端辺部１１、仕切部１３、及び下端辺部１５の形成方法として、熱溶着の他、超音波溶着又は誘導溶着を挙げることができる。
【００４４】
医療用複室容器１として２室の薬液室を有するものを挙げたが、医療用複室容器１は、これに収容される薬液の種類に応じて３室又はそれ以上の薬液室を有していてもよい。医療用複室容器１に収容される薬液として、複数種の薬液が患者に投与される直前に混合される薬液を挙げることができる。このような薬液として腹膜透析液の他、高カロリー輸液のような輸液を挙げることができる。
【産業上の利用可能性】
【００４５】
本発明の医療用複室容器は、複数の薬液を混合して体内に注入する腹膜透析液や輸液のような薬液の収容容器に用いられる。
【符号の説明】
【００４６】
１：医療用複室容器  １０：容器本体  １１：上端辺部  １１ａ：懸吊穴  １２：第１薬液室  １３：仕切部  １４：第２薬液室  １５：下端辺部  １６：薬液排出口  １７：薬液注入部  ２１：非水中指示絵文字  ２２：水中指示絵文字  ３０：混合薬液  ３１：第１薬液  ３２：第２薬液  ４０：スタンド  ４１：フック  ５０：手
【図１】
2015188630.tif 000003
【図２】
2015188630.tif 000004
【図３】
2015188630.tif 000005
【図４】
2015188630.tif 000006